(57)【特許請求の範囲】
【請求項１】
圧力容器の開口部の周りに固定されたクランプリングと、
前記クランプリングは、外向きに放射状に突出した複数のラグを有し、
前記圧力容器に対して固定された枢軸点と、
前記枢軸点のまわりで回転するため配置された蝶番アームと、
前記蝶番アームに固定され、前記クランプリング内に嵌まり込むことの出来る扉部と、
前記扉部に対して機械的に連絡するロックリングであって、前記扉部の周りに回転するのに適合されており、内向きに突出した複数のラグを有するロックリングと、
を含む蝶番結合扉組立体と、
からなる圧力容器用閉鎖システム。
【請求項２】
前記ロックリングと前記クランプリングとが同数のラグを有する、請求項１に記載の圧力容器用閉鎖システム。
【請求項３】
前記ロックリングラグの寸法が、前記ロックリングラグが前記扉部に対して第１位置にあるとき、前記クランプリングラグの間を通過する寸法となっている、請求項２に記載の圧力容器用閉鎖システム。
【請求項４】
前記クランプリングの外面上又は前記扉部の内面上に弾力性Ｏ−リングをさらに含み、前記クランプリングと前記扉部とを接触させたとき前記クランプリングと前記扉部とが前記Ｏ−リングに密接する、請求項１に記載の圧力容器用閉鎖システム。
【請求項５】
前記クランプリングが、前記クランプリングの内面上に弾力性Ｏ−リングを含み、前記Ｏ−リングが前記クランプリングと前記圧力容器との間で圧縮される、請求項１に記載の圧力容器用閉鎖システム。
【請求項６】
前記扉部が外周縁連続ねじ溝を含む、請求項１に記載の圧力容器用閉鎖システム。
【請求項７】
前記ロックリングが、前記扉部の外周縁連続ねじ溝と滑合するのに適合した内周縁連続ねじ溝をさらに含む、請求項６に記載の圧力容器用閉鎖システム。
【請求項８】
前記蝶番アームがロータリアクチュエータとギヤシステムとを含む、請求項１に記載の圧力容器用閉鎖システム。
【請求項９】
前記ロックリングが、前記ロータリアクチュエータとギヤシステムとに機械的連絡をするのに適合したギヤ歯を含み、前記回転アクチュエータとギヤシステムとの起動の結果、前記ロックリングが前記扉部の周りに回転する、請求項８に記載の圧力容器用閉鎖システム。
【請求項１０】
所定のシール応力が前記扉部と前記クランプリングの間にかかる際に、前記ロックリングラグが、前記ロックリングラグの少なくとも一部が実質的に前記クランプリングのそれぞれのリングラグに対して後方に整列するのに適合するよう、前記扉部と前記ロックリングとの連続ねじ溝の向きが、前記ロックリングを前記扉部に対し回転したとき、前記扉部が前記圧力容器に向かって引かれる向きになっている、請求項６に記載の圧力容器用閉鎖システム。
【請求項１１】
前記扉部が覗き窓を含む、請求項１に記載の圧力容器用閉鎖システム。
【請求項１２】
前記扉部が前記圧力容器に隣接する閉鎖位置にあるとき、前記圧力容器内に光を送るための光源を、前記扉部が含む、請求項１に記載の圧力容器用閉鎖システム。
【請求項１３】
前記光源が光放射要素を含む、請求項１２に記載の圧力容器用閉鎖システム。
【請求項１４】
前記光源が光伝送要素を含む、請求項１２に記載の圧力容器用閉鎖システム。
【請求項１５】
前記扉部と協働して配置される面板をさらに含み、その面板が前記ロックリングの円形内面と滑合するのに適合された円形外面を有し、それにより前記面板が前記ロックリングを前記扉部の周りにほぼ同心関係に保つのに適合している、請求項１に記載の圧力容器用閉鎖システム。
【請求項１６】
圧力容器入口を閉鎖する方法であって、前記方法は、
放射状で外向きに突出したラグを有するクランプリングを、前記入口の周りに設けるステップと、
扉部を前記クランプリング内に嵌まり込むように配置するステップと、
放射状で内向きに突出した複数のラグを有し、前記扉部の周りに回転するように配置されたロックリングを、前記クランプリングラグの間を通過させて、前記ロックリングラグを前記クランプリングに整列させるステップと、
前記ロックリングラグを前記クランプリングラグの後方に置くため、前記ロックリングを回転するステップと、
の各ステップを含む、前記方法。
【請求項１７】
前記配置するステップが、蝶番アーム上の前記扉部を枢軸点のまわりで前記入口に向かって回すステップを含む、請求項１６に記載の方法。
【請求項１８】
前記回転するステップが、前記扉部と協働して配置され前記ロックリングと機械的に連絡するロータリアクチュエータを起動するステップを含む、請求項１６に記載の方法。
【請求項１９】
前記回転するステップが、前記ロックリングと前記扉部とに配置されたそれぞれの協働連続ねじ溝の滑合を通じて、前記ロックリングを前記扉部の周りに回転するステップを含む、請求項１６に記載の方法。
【請求項２０】
前記扉部の上に、前記ロックリングの円形内面と滑合するのに適合した円形外面を有する面板を配置するステップ、をさらに含む、請求項１６に記載の方法。
【請求項２１】
外円周面上に配置された連続ねじ溝を有する扉部と、
内円周面上に配置され前記扉部連続ねじ溝との滑合に適合し連続ねじ溝を有するロックリングと、
前記ロックリングから内向きに突出した複数のラグと、
を含む、外向きに突出した複数のラグを有し圧力容器入口の周りに配置されたクランプリングと共に用いるためのロックリングシステム。
【請求項２２】
前記ロックリングシステムを前記クランプリングに対し選択的に位置決めするため、前記扉部が蝶番アームに配置されている、請求項２１に記載のロックリングシステム。
【請求項２３】
前記ロックリングから内向きに突出する前記複数のラグが、前記複数のクランプリングラグに対し同数である、請求項２１に記載のロックリングシステム。
【請求項２４】
前記ロックリングが、前記扉部のまわりの前記連続ねじ溝を介する回転に適合し、そして所定のシール応力が前記扉部と前記クランプリングの間にかかる際に、前記ロックリングラグが、前記ロックリングラグの少なくとも一部が実質的に前記クランプリングのそれぞれのリングラグに対して後方に整列するのに適合している、請求項２１に記載のロックリングシステム。
【請求項２５】
回転力を前記ロックリングに選択的に分与するため、前記ロックリングと機械的に係合するロータリアクチュエータをさらに含む、請求項２１に記載のロックリングシステム。
【請求項２６】
前記扉部と協働的に配置され、前記ロックリングの相補円形内面との滑合に適合した円形外面を有する面板をさらに含み、それにより前記面板が前記ロックリングを前記扉部とほぼ同心の関係に強制する、請求項２１に記載のロックリングシステム。
【発明の詳細な説明】
【０００１】
関連出願の参照
本出願は、１９９９年９月８日申請、米国特許仮出願６０／１５２，８８８号の優先権を主張する。
【０００２】
連邦補助金開発研究に関する申告
なし
【０００３】
発明の背景
圧力容器には、使用中の圧力容器内圧と大気外圧との間の圧力差に耐える圧力容器用閉鎖システムが必要である。このような圧力容器は、ドライクリーニング機械のクリーニング容器として採用される。クリーニング容器に使用するためには、扉を通る物質が扉に関連する異物により汚染される恐れのない扉を備えるのが好適である。特に、ドライクリーニング機械においては、扉の正常作動に必要な潤滑剤が機械の中に収容された衣類その他の物質と接触しないことが重要である。このような物質を総称してサブストレートと呼ぶ。
【０００４】
先行技術において、グリース汚染の恐れは、塗油ラグを有する回転式ロックリングが、高圧クリーニング容器に取り付けられていることから生じる。扉を開いたとき、これからクリーニングする又は既にクリーニングを終えたサブストレートは、塗油ロックリングが仕切る出入口を通って移動しなければならない。
【０００５】
先行技術に関する閉鎖部に伴う別の欠点は、回転式ロックリングが圧力容器の近くにある結果、圧力容器内部までの入口通路が長くなることである。ロックリングがドライクリーニング機械の面に配置されていると、クリーニング容器内に通じる入口トンネルの長さが著しく長くなる。その結果、作業員がサブストレートを取り出すため圧力容器内に手を伸ばすのが難しくなる。またそのとき、作業員自体の衣類が塗油ロックリングにより汚染される。
【０００６】
このような状況下で、ドライクリーニング機械のクリーニング圧力容器などの圧力容器用閉鎖システムには、閉鎖システムを通過するサブストレートを汚染する恐れがなく、関連クリーニング容器内への入口トンネルの長さが比較的短いことが望まれる。
【０００７】
発明の簡単な説明 開示する本発明は、塗油ロックリングを圧力容器の近くでなく開き戸（扉）組立体の上に設けることにより、先行技術の有害な面を追放する圧力容器用閉鎖システムを提供する。これにより、ドライクリーニング用途においてサブストレートが圧力容器用閉鎖システムを通過する経路からグリースを追放し、その結果圧力容器の中に手を伸ばすための入口トンネルの長さが短くなる。
【０００８】
クランプリングが圧力容器の入口付近に堅固に固定されていて、その入口の一部を仕切る。このクランプリングは、ほぼ円形のリングとして作られておりクランプリングの周辺の周りに放射状に突出する複数のラグを有する。
【０００９】
協働する開き戸（扉）が、クランプリングと機械的に協働するよう取り付けられている。扉は中心軸の周りにほぼ対称形で、その外周面に連続してねじ溝が設けられている。ロックリングが、扉の外周面に対して配置されておりねじ溝付き周縁面と回転式で連絡している。ロックリングは、ほぼ対称形の円形リングで、対称中心軸及び扉連続ねじ溝に取り付けるためねじ切りされた円形内側面を有する。扉を蝶番の周りでクランプリングに向かって開いたとき固定クランプリングの外向きに突出したラグの間を通過することの出来る複数のラグが、ロックリングの対称軸に沿って内向きに突出している。ロックリングの外周にもまた、ロックリングの対称軸にほぼ平行してギヤ歯が設けられている。これらのギヤ歯は、ロックリングを回転しクランプリングと係合させるためのロータリアクチュエータに付いた平歯車と機械的に協働することが出来る。
【００１０】
扉は、その外面に面板を固定するのが好適である。扉の周りに配置されたロックリングは、その外面に円形窪みを有し、面板外径が円形窪みの部分内に納まるようになっている。面板の外径は、円形窪みの内径に対して滑走することが出来る。このようにして、ロックリングは扉と同心に保たれる。このとき、面板は幾つかの機能を果たす。第１に、ロックリングが扉と同心に保たれ、扉とロックリングのねじ溝の許容誤差を厳密にする必要がなくなる。ロックリングを扉と同心に保つことにより、加わる圧力がクランプリングについて確実に平等に分布され扉の安全性が増す。第２に、扉とロックリングのねじ溝の間の機械的連結を面板が隠すので美的外観が保たれる。第３の利点は、この機械的連結からグリースが浸出するの防止に関する。
【００１１】
扉には、使用中に作用員が内部を覗くことの出来る覗き窓もまた備えることができる。このような観測を便利にするため、扉組立体にはさらに光源を設けてもよい。代案として、圧力容器自体に光源を設けてもよい。
【００１２】
クランプリングのラグとロックリングのラグとがクリーニング容器に対し一線に並んだとき、及びロックリングが所望量だけ回転されたときを検出するため、リミットスイッチを採用してもよい。平歯車を回してロックリングを回転させるロータリアクチュエータを制御する油圧を起動する前に、扉が閉鎖姿勢にあることを確認するため、近接センサを設けてもよい。
【００１３】
ロックリングの位置を扉との関連で決めることにより、クリーニング容器に収容するサブストレートを汚染する可能性がなくなる。この物理的配置により、クリーニング容器内に容易に手を伸ばせるようになる。
【００１４】
発明の詳細な説明
図１，２Ａ、２Ｂ及び２Ｃに示すように、ここに開示する圧力容器用閉鎖システム１０は、圧力容器１６の入口付近に堅固に固定されその入口を仕切るクランプリング１２を含む。クランプリング１２は、ほぼ円形のリングとして作られており、クランプリング１２の周のまわりでそこから放射状に突出する複数のラグ１４を有する。１つのＯ−リング１８が、圧力容器の反対側のクランプリング外面に設けられている。第２のＯ−リング１９が、クランプリング１２と圧力容器本体１６との間に設けられている。Ｏ−リング１８，１９は、当業者には周知のブナ−Ｎから作られる。
【００１５】
を参照すると、協働する開き戸（扉）組立体２０は、扉部２２，面板２３及び蝶番アーム４０を含む。扉部２２（図３Ａ及び３Ｂ）は中心軸の周りにほぼ対称形で、その外周面２６に沿って連続ねじ溝２４を有する。１実施例においては、連続ねじ溝２４をインチ当たり３溝の２重ねじ溝として作る。
【００１６】
扉部２２の周囲に、扉部２２のねじ溝付き周辺面２４と回転式に連結されてロックリング３０が配置されているのが、，４Ａ、４Ｂ、及び４Ｃで良くわかる。ロックリング３０は、ほぼ対称形の円形リングで、対称中心軸及び扉部２２の連続ねじ溝２４に取り付けるためねじ溝３４を切った内側円形面３２を有する。扉組立体２０は蝶番アーム４０（図５Ａ、５Ｂ及び５Ｃ）上で枢軸点４２の周りにクランプリング１２に向かって移動して閉じる際には、複数の内向きに突き出すラグ３６は固定クランプリング１２の外向きに突出したラグ１４の間を通過することが出来きるが、それ以前ではロックリング３０の対称軸に対して外れているのである。
【００１７】
図６Ａ及び６Ｂにさらに示した面板２３が、扉部２２の外面に、ダウエルピンの使用、ねじなどの取り外し可能なファスナ、又は溶接により、固定されている。板２３は、面板２３の外周面２５とロックリング３０の円形内面３２との間の滑合を通じて、ロックリング３０を扉部と同心に保つのを容易にする。面板はこうしてロックリングの中心を扉部に合わせるのを助けて、扉部２２の外周面２６のねじ溝がロックリング３０の円形内面３２上のねじ溝に束縛されるのを防止する。面板がないと、ロックリングは偏心して回転し、扉部２２と不均一な接触を生じる。その結果、ロックリングとクランプリングとの間の対応するラグ上に不均一な表面圧力が生まれる。そこで機械的不具合が生じる。
【００１８】
扉部の周りでロックリングが滑らかに回転するのを助けるため、グリースを用いてこれら２つの要素上の協働ねじ溝を潤滑する。着脱可能ねじ溝付きリフトリング用に、ロックリング頭部に穴（不図示）を設けてもよい。１実施例においては、リフトリング穴の底に追加のねじ付き穴を設けて、グリース継ぎ手を受ける。こうすると、ロックリングと扉部との間のねじ結合に対して対応する流路を作るグリース継ぎ手の中にグリースを注入することが出来る。
【００１９】
注入されたグリースは、面板２３，ロックリング３０及び扉部２２の間に設けられたグリースポケット内に堆積する。こうして作られた潤滑剤の貯留は、対応するねじ溝の間の摩擦疲労を避けることが出来る。面板２３は、潤滑剤が扉部の前に流れるの防止する働きをする。
【００２０】
ここに開示する圧力容器用閉鎖システムの代替実施例は、面板を使用しない。この実施例においては、扉部に対しロックリングがずれるのを防ぐため、扉部とロックリングとのねじ溝の間に厳密な許容誤差を設けることが必要である。さらに、この実施例は、扉部とロックリングとの間のねじ結合が、扉の全面に露出されるのを我慢しなければならない。これは、潤滑剤が扉の上に移動する可能性を生じ、ねじ溝がゴミで汚れることがある。ねじ結合が露出されると、扉部と面板の組合せによる滑らかな仕上げの見掛けより、美観が劣ると考えられる。
【００２１】
ロックリング３０の外周には、ロックリング３０の対称軸にほぼ平行してギヤ歯を有する領域もまた設けられている。これらのギヤ歯３８は、蝶番アーム４０の中の空洞内に取り付けられたロータリアクチュエータに付いた平歯車と機械的に協働することが出来る。１実施例においては、平歯車の径は３インチである。ロータリアクチュエータは、油圧媒体としてトランスミッション流体を汲み上げるため関連油圧ポンプを有する油圧ロータリアクチュエータであるのが好適である。このロータリアクチュエータは、普通、２７０度回転することが出来る。蝶番アーム４０の中にはホースが２つ設けてあり、１つは油圧流体を遠隔流体源から移送してロータリアクチュエータに汲み上げ、他はそれを排出する。
【００２２】
ロータリアクチュエータ用のコントロールは、扉組立体の上、又は好適には圧力容器の周りに配置された囲いの上など、各種の位置に置くことが出来る。このようなコントロールには、ロックリング３０をクランプリング１２に差錠するためのプッシュボタンアクチュエータ、ロックリング３０を解錠するための別のプッシュボタン、及び圧力容器１６の中で実行される処理に関連する各種のコントロールが含まれる。代替案として、プッシュボタンを多位置回転レバー又はノブ、若しくは当業者に周知の他の適切な多数のコントロール要素で置き換えることが出来る。扉部がクランプリング１２に対して差錠されているとき、圧力容器１６の内部を覗くため扉部又は圧力容器自体に関連して配置された光源（不図示）を作動させるため追加のコントロールを設けることがある。これらのコントロールは、蝶番アーム４０の中に張り巡らした電線又はケーブルを通じてそれぞれの装置に電気的に接続される。
【００２３】
以下に述べるように、クリーニング容器内のクリーニング処理の監視を容易にするため、図７Ａ、７Ｂ、及び７Ｃに示すように、扉部２２’の追加実施例は、開口部２８を通じて光源（不図示）からの照明を備えている。蝶番アーム４０は、圧力容器１６の内部照明のため遠隔光源から光ファイバーケーブルを備えている。代替案として、蝶番アーム４０を通る導電ケーブルを用いて、扉部２２’の中に配置された光源に電力を供給してもよい。
【００２４】
ロータリアクチュエータを作動させると、平歯車が回わり、ロックリング３０の外周ギヤ歯３８との協働で、ロックリング３０のねじ切り円形内面３２、３４と扉組立体２０のねじ切り外周面との滑走接触を通じてロックリング３０が扉部２２に対して回転する。ロックリング３０のこの回転により、ロックリングラグ３６の少なくとも一部分が固定クランプリング１２上の対応するラグ１４の後方に置かれる。ロックリング３０が回転するにつれて、扉部２２とロックリング３０の上の対応するねじ溝２４と３４のピッチが、扉組立体２０をクランプリング１２と関連Ｏ−リング１８の中に引き込む。扉部２２とクランプリング１２との間に所望の封止力が加わったとき、ロックリングラグ３６が、クランプリングラグ１４とほぼ揃って並ぶのが好適である。
【００２５】
好適実施例においては、ロックリング３０とクランプリング１２の上に６個のラグ１４がある。ロックリング３０とクランプリング１２の間のねじ溝２４、３４のピッチは、ロックリング３０を３０度だけ回転したとき、扉部２２がクランプリング１２の外面に対して完全に引き込まれるように選んだ。代替実施例においては、採用するラグ１４、３６の数を変えることが出来る。例えば、１２個のラグ１４、３６を、クランプリング１２とロックリング３０の双方に使用することが出来るが、これは扉部２２とクランプリング１２との間のねじ溝に対するピッチを険しくするか又はねじ溝とリードを多くすることを必要とするであろう。ピッチを険しくすると、圧力容器１６の内部からの圧力の下でロックリング３０が外れる結果になるかも知れない。
【００２６】
ロックリング３０はニッケル鍍金炭素鋼とし、扉部２２の外側部分はステンレス鋼として作るのが好適である。クランプリング１２は、ファスナのようにステンレス鋼であるのが好適である。代替案として、各種構成部品にチタンを採用することが出来る。この物質は軽量だが、高価な可能性がある。ロックリング３０に使用する潤滑剤は、当業者に周知のグリースである。
【００２７】
扉部２２には、覗き窓２９を設けて使用中に作業員がクリーニング容器内部を覗くことが出来るようにしてもよい。覗き窓２９は、内張パイレックス（登録商標）又は適切な他の物質で作る。代替実施例においては、容器内部を覗くため扉に溶融ガラス窓を設ける。溶融ガラス窓は、圧力容器内で発達する圧力に耐えるに十分な厚さの溶融ガラス板から構成する。ガラス板を金属リングで囲んで、金属リングからの圧縮力により板を正しい位置に保つようになっている。溶融ガラス窓の金属リングは、まわりの扉部２２の上に干渉フィット、溶接、又はねじ止めする。さらに追加の実施例においては、扉部２２自体を溶融ガラス窓から形成する。溶融ガラス窓金属リングの外面には、ロックリング３０の内側ねじ溝と噛み合う必要のある外周面２重ねじ溝が設けられている。
【００２８】
クリーニング容器内部を覗き易くするため、扉部２２’の開口部２８の中にハロゲン電球を配置するなど、扉部２２’に光源をさらに設けてもよい。光源（不図示）は、扉部２２’の開口部２８の中に直接取り付けるか、又は離して置き光ファイバ物資を用いて扉部２２’を通って光学的に結合させ、圧力容器内を照らすことが出来る。
【００２９】
扉部２２’には、ポリプロピレン充填材２７（図７Ｂ、簡単化のため図１には示さない）を設け、扉部２２’がクランプリング１２と接触したとき圧力容器１６への入口トンネルを満たして、圧力容器１６に、いっそう対称的で容積の少ない内面を作ることができる。扉部２２、２２’にはまたハンドル（不図示）を設け、扉組立体２０の位置決めを容易にしてもよい。
【００３０】
リミットスイッチ（不図示）２つを採用するのが好適である。１つはクランプリング１２の上のラグ１４とロックリング３０の上のラグ３６が重なり合って扉の閉鎖が出来るようになったとき作動させ、他はロックリング３０が所望量だけ回転してラグ１４、３６がロック位置に揃ったとき作動させる。後者のスイッチは、油圧ポンプの回転を止めて、ロックリング３０の廻し過ぎを避け、扉部２２をクランプリング１２に対して把握する。両スイッチは、ロックリング３０に関連付けられている。
【００３１】
ロックリング３０を制御する油圧系を起動する前に、扉組立体２０がクランプリング１２に対して閉鎖姿勢にあることを確認するため近接センサ（不図示）を設けてもよい。これにより、クランプリング１２と正しく揃っていないときにロックリング３０が起動されるのを避ける。これはまた、扉組立体２０が開いていて作業員の手がロックリング３０の近くにあるかも知れないとき、ロックリング３０が回転するのを防止する。
【００３２】
クランプリング１２とロックリング３０の上のラグ１４、３６は、それぞれ平坦な結合面を有する。追加実施例のように傾斜面とすることも出来るが、これにより扉部２２、２２’とロックリング３０との間に傾斜ねじ溝２４，２４を作る必要がなくなる。傾斜ラグ１４、３６は、平坦ラグの上に傾斜楔を溶接して実現するのが好適である。両実施例において、ラグ１４、３６は、それぞれのリング１２、３０の上に溶接するのが好適である。
【００３３】
上に示した本発明のこれら及びその他の実施例は、例示目的のみであって、本発明の実際の範囲は、請求項の範囲と精神のみにより制限されるものである。
【図面の簡単な説明】
以下の記述を添付図面との関連で参照することにより本発明を完全に理解することが出来るであろう。
【図１】本発明にしたがう圧力容器用閉鎖システムの側面断面図で、圧力容器に対する閉鎖姿勢を示す。
【図２Ａ】図１の圧力容器用閉鎖システムのクランプリングの平面図である。
【図２Ｂ】図２Ａに示すようなクランプリングの側面断面図である。
【図２Ｃ】図２Ａのクランプリングの部分側面図である。
【図３Ａ】図１の圧力容器用閉鎖システムの扉部の平面図である。
【図３Ｂ】図３Ａの扉部の側面断面図である。
【図４Ａ】図１の圧力容器用閉鎖システムのロックリングの平面図である。
【図４Ｂ】図４Ａのロックリングの側面断面図である。
【図４Ｃ】図４Ａのロックリングの側面図である。
【図５Ａ】図１の圧力容器用閉鎖システムの蝶番アームの平面図である。
【図５Ｂ】図５Ａの蝶番アームの上面図である。
【図５Ｃ】図５Ａの蝶番アームの端面図である。
【図６Ａ】図１の圧力容器用閉鎖システムの面板の平面図である。
【図６Ｂ】図６Ａの面板の側面図である。
【図７Ａ】図１の圧力容器用閉鎖システムに使用するための扉部代替実施例の平面図である。
【図７Ｂ】図７Ａの扉部代替実施例の側面断面図である。
【図７Ｃ】図７Ａの扉部代替実施例の側面図である。
【図８Ａ】図６Ａの面板を付けた図３Ａの扉部の平面図である。
【図８Ｂ】図８Ａの扉部と面板の複合の側面断面図である。
【図１】
0004111485.tif 000002
【図２Ａ】
0004111485.tif 000003
【図２Ｂ】
0004111485.tif 000004
【図２Ｃ】
0004111485.tif 000005
【図３Ａ】
0004111485.tif 000006
【図３Ｂ】
0004111485.tif 000007
【図４Ａ】
0004111485.tif 000008
【図４Ｂ】
0004111485.tif 000009
【図４Ｃ】
0004111485.tif 000010
【図５Ａ】
0004111485.tif 000011
【図５Ｂ】
0004111485.tif 000012
【図５Ｃ】
0004111485.tif 000013
【図６Ａ】
0004111485.tif 000014
【図６Ｂ】
0004111485.tif 000015
【図７Ａ】
0004111485.tif 000016
【図７Ｂ】
0004111485.tif 000017
【図７Ｃ】
0004111485.tif 000018
【図８Ａ】
0004111485.tif 000019
【図８Ｂ】
0004111485.tif 000020